(57)【要約】【課題】回路遮断器内の占有スペースを小さくすることができ、可撓銅線によって可動電磁片の動作が阻害される虞がなく、また、トーションバネの係合に手間がかからず、誰でも簡単に組み立てることができる回路遮断器の電磁装置を提供する。【解決手段】電磁装置１は、ヒーター８の端子座７が接続された側と垂直部８ａに対して反対側にバイメタル９と固定電磁片２を固定するとともに水平部８ｂに可撓銅線１０を接続し、ヒーター８を挟んで固定電磁片２と反対側にヒーター８の垂直部８ａと間隔をおいて可動電磁片３を回動自在に配設する。【選択図】図４
2005108606.tif 000002
【特許請求の範囲】
【請求項１】
一方の端部に端子ネジが螺着される端子座と、該端子座の他方の端部に接続されるヒーターと、該ヒーターに一部を密着させて接続され過電流を検出するためのバイメタルと、前記ヒーターに接続される可撓銅線とを備えた回路遮断器に取り付けられ、平板状の固定電磁片と、該固定電磁片と対向して配置され枢軸を軸として回動自在に軸支される可動電磁片と、該可動電磁片を前記固定電磁片から開離するように付勢するトーションバネとから成る電磁装置において、前記ヒーターの前記端子座が接続された側と反対側に前記バイメタルと前記固定電磁片を固定するとともに前記可撓銅線を接続し、前記ヒーターを挟んで固定電磁片と反対側に前記可動電磁片を配設したことを特徴とする回路遮断器の電磁装置。
【請求項２】
前記トーションバネの両先端が前記枢軸より下となるようにリング部を前記枢軸に挿通させて取り付け、前記可動電磁片と前記枢軸と前記トーションバネとで成る可動電磁片ユニットを前記枢軸を遮断器ケースの基台に取り付けた後で、前記固定電磁片と前記端子座と前記ヒーターと前記バイメタルと前記可撓銅線とで成る固定電磁片ユニットを前記可動電磁片ユニットの上方から取り付けたことを特徴とする請求項１に記載の回路遮断器の電磁装置。
【発明の詳細な説明】
【技術分野】
【０００１】
本発明は、短絡等によって主回路に過大電流が流れた時に動作して主回路を遮断する回路遮断器の電磁装置に関する。
【背景技術】
【０００２】
図５に示すように回路遮断器の電磁装置３１は、平板状の固定電磁片３２と、固定電磁片３２と対向して配置され枢軸３４を軸として回動自在に軸支される可動電磁片３３と、可動電磁片３３を固定電磁片３２から開離するように付勢するトーションバネ３５とで構成し、一方の端部に端子ネジ３６が螺着された略クランク状の端子座３７の他方の端部に略Ｌ字状のヒーター３８を接続し、このヒーター３８の端子座３７が接続された側に固定電磁片３２を密着させ、反対側にバイメタル３９を密着させ、固定電磁片３２とヒーター３８とバイメタル３９をカシメて固定し、ヒーター３８のバイメタル３９が取り付けられた側に可撓銅線４０を接続した固定電磁片ユニット４１を回路遮断器の基台４４上に配設した後で、可動電磁片３３の枢軸３４にトーションバネ３５のリング部３５ａを挿通させて組み付けた可動電磁片ユニット４３を可動電磁片３３がヒーター３８を挟んで固定電磁片３２と反対側となるように組み付け、それから、トーションバネ３５の端部に形成したフック３５ｃを固定電磁片３２と可動電磁片３３に係合させている。トーションバネ３５の一方の端部は枢軸３４より上方向に延びてフック３５ｃを可動電磁片３３の腕部３３ｄに係合させ、他方の端部は枢軸３４より下方向に延びてフック３５ｃを固定電磁片３２に形成した凹部３２ａに係合させるようになっている（例えば、特許文献１参照。）。
【特許文献１】特開平９−６３４５２号公報
【発明の開示】
【発明が解決しようとする課題】
【０００３】
従来の電磁装置は、バイメタルをヒーターにカシメた際に起こる可動電磁片側への変形や、過電流時におけるバイメタルのヒーターから離れる方向への湾曲動作によって、バイメタルが可動電磁片の枢軸に接触しないように可動電磁片の位置を配慮し、可動電磁片をヒーターから離す必要があり、電磁装置の占めるスペースが大きくなっていた。また、可撓銅線の収納状態によっては可動電磁片の下端が可撓銅線に接触して可動電磁片の動作が阻害される虞があり、組み立てに技術が必要となっていた。更に、トーションバネを固定電磁片と可動電磁片に係合させる作業に手間がかかっていた。
【課題を解決するための手段】
【０００４】
本発明は、請求項１に記載の発明によれば、一方の端部に端子ネジが螺着される端子座と、端子座の他方の端部に接続されるヒーターと、ヒーターに一部を密着させて接続され過電流を検出するためのバイメタルと、ヒーターに接続される可撓銅線とを備えた回路遮断器に取り付けられ、平板状の固定電磁片と、固定電磁片と対向して配置され枢軸を軸として回動自在に軸支される可動電磁片と、可動電磁片を固定電磁片から開離するように付勢するトーションバネとから成る電磁装置において、ヒーターの端子座が接続された側と反対側にバイメタルと固定電磁片を固定するとともに可撓銅線を接続し、ヒーターを挟んで固定電磁片と反対側に可動電磁片を配設したことを特徴とする。
【０００５】
請求項２に記載の発明によれば、請求項１に記載の回路遮断器の電磁装置において、トーションバネの両先端が枢軸より下となるようにリング部を枢軸に挿通させて取り付け、可動電磁片と枢軸とトーションバネとで成る可動電磁片ユニットを枢軸を遮断器ケースの基台に取り付けた後で、固定電磁片と端子座とヒーターとバイメタルと可撓銅線とで成る固定電磁片ユニットを可動電磁片ユニットの上方から取り付けたことを特徴とする。
【発明の効果】
【０００６】
本発明の回路遮断器の電磁装置は、回路遮断器内の占有スペースを小さくすることができ、可撓銅線によって可動電磁片の動作が阻害される虞がなく、また、トーションバネの係合に手間がかからず、誰でも簡単に組み立てることができるという効果がある。
【発明を実施するための最良の形態】
【０００７】
電磁装置は、ヒーターの端子座が接続された側と垂直部に対して反対側にバイメタルと固定電磁片を固定するとともに水平部に可撓銅線を接続し、ヒーターを挟んで固定電磁片と反対側にヒーターの垂直部と間隔をおいて可動電磁片を回動自在に配設する。
【実施例１】
【０００８】
本発明に係る回路遮断器の電磁装置の実施例を図１〜図４の添付図面に基づいて説明する。
【０００９】
電磁装置１は、平板状の固定電磁片２と、固定電磁片２と対向して配置され回動自在に軸支される略コ字状の可動電磁片３と、可動電磁片３を回動させる際に軸となる枢軸４と、可動電磁片３を固定電磁片２から開離するように付勢するトーションバネ５とで構成している。
【００１０】
この電磁装置１が組み込まれる回路遮断器は一方の端部に端子ネジ６が螺着される略クランク状の端子座７と、端子座７の他方の端部に接続される垂直部８ａと水平部８ｂから成る略Ｌ字状のヒーター８と、ヒーター８に一部を密着させて接続され過電流を検出するためのバイメタル９と、ヒーター８に接続される可撓銅線１０とを備えている。尚、バイメタル９は過電流時にヒーター８からの熱を受けて湾曲し、先端が開閉機構部（図示せず）を動作させて主回路を遮断するものである。端子座７とヒーター８と可撓銅線１０は回路遮断器の主回路の一部であり、銅等の非磁性体により形成されている。また、電磁装置１を構成する固定電磁片２と可動電磁片３は鉄等の磁性体により形成されている。
【００１１】
ヒーター８は端子座７が接続された側と垂直部８ａに対して反対側にバイメタル９と固定電磁片２がカシメられて固定されるとともに、水平部８ｂに可撓銅線１０が溶接されて接続され固定電磁片ユニット１１を形成している。また、固定電磁片ユニット１１には漏洩電流を検出するための零相変流器１２が端子座７を貫通させるようにして設けられている。
【００１２】
可動電磁片３は、平板部３ａの左右両辺に折曲部３ｂを折曲して略コ字状に形成し、この折曲部３ｂの上部に軸孔３ｃが穿設され、棒状の枢軸４が挿着できるようになっている。また、一方の折曲部３ｂの上端部には回路遮断器の開閉機構部を駆動させるための腕部３ｄが斜め上方に延設されている。トーションバネ５は、複数巻回されたリング５ａ部と、リング部５ａから短く延びる短アーム５ｂと、リング部５ａから長く延びて先端にフック５ｃを有する長アーム５ｄとで形成されている。そして、可動電磁片３の一方の軸孔３ｃに外側から枢軸４を挿通し、軸孔３ｃから出てきた枢軸４の先端にトーションバネ５のリング部５ａを挿通させ、枢軸４の先端を他方の軸孔３ｃに挿通させて可動電磁片ユニット１３を形成している。尚、トーションバネ５の両端は可動電磁片３の平板部３ａに対して折曲部３ｂと同じ側で枢軸４より下に垂れ下がるようになっている。
【００１３】
遮断器ケースの基台１４には一対の対向する枠１５が垂設され、この枠１５にはＵ字状の溝１６が夫々形成されている。この溝１６に可動電磁片ユニット１３の枢軸４を上方から嵌めて軸支させ、回動自在に取り付ける。それから、可動電磁片３がヒーター８を挟んで固定電磁片２と反対側となるように固定電磁片ユニット１１を可動電磁片ユニット１３の上方から下ろして配設する。可動電磁片ユニット１３は固定電磁片ユニット１１のヒーター８と端子座７と零相変流器１２とで囲まれる空間に収まる。固定電磁片ユニット１１を下ろすとき、可動電磁片ユニット１３のトーションバネ５の長アーム５ｄのフック５ｃは固定電磁片２の下端縁に係止し、トーションバネ５の短アーム５ｂは可動電磁片３の平板部に係止する。
【００１４】
こうして組み立てられた電磁装置１は、回路遮断器の主回路に短絡等による過大電流が流れた時、ヒーター８の周囲に発生する磁界によって可動電磁片３の下部がトーションバネ５のバネ力に抗して固定電磁片２に吸着し、このとき、可動電磁片３の腕部３ｄが開閉機構部を動作させることにより、開閉機構部が駆動して主回路を遮断させる。
【００１５】
尚、本実施例において、トーションバネは長アームのフックが固定電磁片の下端縁に係止し、短アームが可動電磁片の平板部に係止したが、固定電磁片ユニットを可動電磁片ユニットの上方から取り付けた際にトーションバネが可動電磁片を固定電磁片から開離するように付勢するのであればトーションバネの係止位置について限定はなく、また、電磁装置を構成する部材の形状や構造について本発明の趣旨を逸脱しない範囲で適宜変更可能である。
【図面の簡単な説明】
【００１６】
【図１】本発明に係る電磁装置を示す斜視図である。
【図２】本発明に係る固定電磁片ユニットを可動電磁片ユニットに取り付ける様子を示す正面図である。
【図３】本発明に係る電磁装置を基台に取り付けた状態を示す斜視図である。
【図４】本発明に係る固定電磁片ユニットを可動電磁片ユニットに取り付けた様子を示す正面図である。
【図５】従来の電磁装置を示す正面図である。
【符号の説明】
【００１７】
１    電磁装置
２    固定電磁片
３    可動電磁片
３ａ    平板部
３ｂ    折曲部
３ｃ    軸孔
３ｄ    腕部
４    枢軸
５    トーションバネ
５ａ    リング部
５ｂ    短アーム
５ｃ    フック
５ｄ    長アーム
６    端子ネジ
７    端子座
８    ヒーター
８ａ    垂直部
８ｂ    水平部
９    バイメタル
１０    可撓銅線
１１    固定電磁片ユニット
１２    零相変流器
１３    可動電磁片ユニット
１４    基台
１５    枠
１６    溝
【図１】
2005108606.tif 000003
【図２】
2005108606.tif 000004
【図３】
2005108606.tif 000005
【図４】
2005108606.tif 000006
【図５】
2005108606.tif 000007